(57)【要約】      （修正有）【課題】寒期の就寝時に頭部を冷やすことによって起こり得る弊害予防の為、頭部自身の熱源で頭部を保温することと、使用方法に多様性を持たせること。【解決手段】フード１はその頭部顔面を覆う傾きを顔面から頭頂部まで変化でき、フード部を取り去る必要が生ずれば枕台２を残したまま至極容易に取り外すことが出来る。フード部の脱着は健常者ならば就寝したまま自分自身の手で、また介護者ならば就寝者に関わり無く静かにおこなうことができるので就寝者の安静も保つことが出来て、さらに観察も容易に出来、介護の一助にもなり得る。【選択図】図２
0003117599.tif 000002
【実用新案登録請求の範囲】
【請求項１】
本考案のヘッドウォーマーは、フード部とそれに接合する枕台からなり、就寝者は枕台に枕を載せフードに頭部を入れて就寝し、寒冷時に頭部を保温することによって冷えからくる様々な弊害を防ごうとしているものであり、フード内部を人工的に加熱加温することも無く、自然保温で安全性の高い特徴あるヘッドウォーマー。
【請求項２】
請求項１にかかるヘッドウォーマーの持つフード部は、フードを形作っている半円形の枠２本の両端にあるそれぞれのネジを支点軸として、フードが頭頂部から顔面上を覆う範囲を自由に変化させることのできる特徴ある機構を持つ前記請求項１のヘッドウォーマー。
【請求項３】
本ヘッドウォーマーに取り付けたフードが不必要な場合は就寝者が就寝したまま就寝者自身の手でフード部のみを取り外すことが出来、または介護者等が付き添っている場合も就寝者に関わり無く介護者等が容易にフード部のみを取り外すことができる特徴ある機構を持った請求項１及び請求項２のヘッドウォーマー。
【考案の詳細な説明】
【技術分野】
【０００１】  通常、無風状態の室内においても就寝時の頭部周辺では頭部から発する熱によって暖められた空気が上昇し、空気の対流が起こっている。それによって頭皮は冷やされ、寒期は特に高齢者の場合、冷やす事によって血管の収縮、硬化などの弊害も心配される。高齢者の大部分は年齢を重ねる事で毛髪も薄くなり、毛髪による保温性が悪くなっている。とりわけ血管に障害を持つ人は頭を保温することによって血管の柔軟性を保ち、血行の改善を計る為に頭の保温が必要と考えた。その意味で本考案のヘッドウォーマーでは就寝者の頭をフードによって保温することを目的事項とした。
【背景技術】
【０００２】  古来、頭寒足熱と言われるように従来から寝具等の改善は随所に図られているが、高齢化社会にあって寒期に高齢者の頭の保温については忘れられた存在である。時には頭部顔面を包み込む様式の保温具も見かけるが、特に療養中の就寝者に対しては病状観察の観点から頭部を包んだり囲ったりせずに開放感のある保温方法も大切である。
【考案の開示】
【考案が解決しようとする課題】
【０００３】  頭部の保温についての方法も種々あるが、本考案のヘッドウォーマーは保温の熱源を他に求めず、自分自身の発する熱を熱源として利用しようとするものであり、自身の熱エネルギーをフードによって温存することを目的としたものである。然しその為のフードが深かったり狭かったりして就寝者の心理に悪影響を与えるものであってはならない。【０００４】  本ヘッドウォーマーを使用する就寝者が健常者に限らず、介護の必要な就寝者の場合に於いて介護者が就寝者の状態を観察する時点でフードが邪魔になる事があってはならない。必要に応じてフードを開けたり、取り去ることも求められる。
【課題を解決するための手段】
【０００５】  それらの課題を踏まえ、種々の手段を講ずることを目標とする。先ず安静を要求する場合、顔面に何か触れるものがあると煩わしさを感ずることがある。そこで、本考案は顔面に接触するものを避け、図１のごとく半円形の枠を作る事によって顔面に触れるものが無いようにフードと顔面の間に隙間を作る。【０００６】  次にフードが頭部、顔面を覆う部分が多いと就寝者が心理的に閉鎖された感覚に陥入ったりすることもあったり、逆に顔面を暗くして安静を保ちたいと言う場合もある。そのような場合、フードが顔面を覆う範囲を変えたりすることで就寝者の気持ちに対応することも必要であり、場合によってはフード部脱着の必要も生ずる。そうした場合の簡便な取り扱いを要求することも解決の必要な課題とする。
【考案の効果】
【０００７】  従来、頭部を包む、囲うなどして保温目的のためのものもあるが、本考案のヘッドウォーマーは至極オープンな感覚で利用でき、実験的にはフード内部の温度は頭頂部に於いて２度から４度の温度上昇が認められた。さらにフード部の脱着も簡便であるため利用者は取り扱いのための器具も、消耗部品も皆無である。
【考案を実施するための最良の形態】
【０００８】  前記手段を果たすための本考案になるヘットウォーマーに関する請求項１に記述のフード部は、図１に示すように保温布で出来たフード１と、フード１を形作るために湾曲成型された半円形の枠４ａ枠４ｂが、組み立てネジ７によつてＬ型部品５ａ、Ｌ型部品５ｂと組み立てられている。【０００９】  更に本考案の請求項１に記述の枕台は台本体と、受け具６ａ、受け具６ｂとで構成されている。受け具６ａ、６ｂはフード部のＬ型部品５ａ、５ｂと接合するためのものである。【００１０】  図２に実際の使用例を示す。枕台２に枕３を挿入して就寝している図である。フードを形作っているのは顔面側の枠４ａと頭頂側の枠４ｂで、枠４ａの形を作っている円は４ｂのそれよりやや大きい。その理由はフードが顔面に触れないためと、視覚的に窮屈さを避けるために顔面の空間をやや大きくするためである。【００１１】  図３図４に本考案によるヘッドウォーマーの請求項２におけるフードの動きについて示す。両図共にフード１のみを取り外して、枠４ａ４ｂの動きがよく分かるようにした図である。図３は組み立てネジ７を支点にして枠４ａ、４ｂを頭頂部の方に倒し顔面を覆う部分を少なくして面前を明るくしている。【００１２】  図４も前項と同様、枠４ａ、４ｂを露出した図で、枠を顔面方向に傾けて顔面を覆う部分を多くして面前を暗くしている。【００１３】  組み立てネジ７については、ネジ７を固く締めても枠を倒せばＬ型部品を受け具に固定したまま枠だけは摺動する構造のネジとする。【００１４】  次いで図５、図６に拠って本考案になるヘッドウォーマーの請求項３に関するフード部の脱着について説明をする。本両図はフード１を省略した簡略図であるが、ヘッドウォーマーを正面から見た図である。ちなみに頭を挿入する側を正面とする。【００１５】  図５はフード部のＬ型部品５ａと５ｂを枕台２の受け具６ａ及び６ｂに接合、通常の使用状態を維持している図である。その固定状態を維持するために枠４ａ、４ｂは復元力のある材料で湾曲成型する際に半円の自然径を枕台２の左右の幅より小さく成型してある。【００１６】  フード枠は軽い力で広げられるので組み立てたフード部の左右を広げて枕台２の受け具６ａと６ｂに接合すれば何らの固定機構は不必要でそのままフード部は受け具を挟み込み枕台２に固定される。【００１７】  図６にフード部を取り外す状態を示す。Ｌ型部品５ａ、５ｂは受け具６ａ、６ｂと機械的に固定されている訳ではないので就寝者自身でＬ型部品５ａ、５ｂを持って左右に広げれば枕台を残したままフード部だけを取り外すことが出来、また介護者に於いても就寝者に関わり無くフード部のみを取り去ることができる。安静就寝者の場合に於いても脱着作業は就寝者に関わることがないので就寝者は安定した状態を保つことが出来る。しかも残された枕台には危険な突起物も無く至極安全である。【００１８】  図７にフード１のみを取り外して骨組みだけのヘッドウォーマー本体を示す。図８にその本体に組み付けるフード布の裁断例を示す。【００１９】  フード布８は顔面上に、フード布９は頭頂部になる部分である。フード布８の布辺１２とフード布９の布辺１３を縫い付ければ図７の本体図の形に添ったフードが出来上る。【００２０】  フード１と枠の関係については、図８に示すようにフード１の縫製の際に表生地と裏生地の間に枠４ａの枠通し１０と、枠４ｂの枠通し１１を作っておき、枠４ａと枠４ｂはフード部を組み立てる前に枠通しに通しておく。またはフード１の縫製に一重の布を使う場合は枠通しの替わりに何箇所かのベルト通しを作っておいてもよい。【００２１】  段落番号００２０の手順を経た上でフード部を組み立て、図６のようにＬ型部品を左右に広げて枕台２の受け具に嵌め込めばヘッドウォーマー本体が出来上がる。
【実施例】
【００２２】  ヘッドウォーマー全体の素材については、例えばフード布を保温布から風通しのよいレース布等に替えれば暖期安眠用としての利用も可能となり、その他の各部も大部分は合成樹脂などの素材による成型が可能であり、非常に軽量で扱い容易な製品となる。
【図面の簡単な説明】
【００２３】
【図１】  本考案にかかるヘッドウォーマーの全体斜視図。
【図２】  本ヘッドウォーマーに実際に就寝している図。
【図３】  本ヘッドウォーマーの図１からフード１のみを取り外し、フード枠４ａ４ｂの動きが分かる様にしてあり、フード枠４ａ４ｂを頭頂部の方向に倒した図。
【図４】  本ヘッドウォーマーの図１からフード１のみを取り外し、フード枠４ａ４ｂを顔面方向に倒した図。
【図５】  本ヘッドウォーマーからフード１のみを取り外して正面から見た簡略図。枕台２にフード部が装着されている図。ちなみに頭部を挿入する側を正面と考える。
【図６】  本ヘッドウォーマーからフード１のみを取り外して正面から見た簡略図。フード部のＬ型部品５ａ５ｂを左右に広げて枕台２からフード部を取り外した図。
【図７】  本ヘッドウォーマーからフード１のみを取り外して本体の枠組みを表した図。
【図８】  本ヘッドウォーマーに装着するためのフード１の裁断図。
【符号の説明】
【００２４】  １      フード。
２      枕台。
３      枕。
４ａ    顔面側の枠。
４ｂ    頭頂側の枠。
５ａ    Ｌ型部品。
５ｂ    Ｌ型部品。
６ａ    受け具。
６ｂ    受け具。
７      組み付けネジ。
８      顔面側のフード布。
９      頭頂側のフード布。
１０    枠４ａの枠通し。
１１    枠４ｂの枠通し。
１２    布辺１３に縫い付ける辺。
１３    布辺１２と縫い付ける辺。
【図１】
0003117599.tif 000003
【図２】
0003117599.tif 000004
【図３】
0003117599.tif 000005
【図４】
0003117599.tif 000006
【図５】
0003117599.tif 000007
【図６】
0003117599.tif 000008
【図７】
0003117599.tif 000009
【図８】
0003117599.tif 000010